(57)【特許請求の範囲】
【請求項１】
表皮と、
前記表皮と密着一体化された軟質の発泡樹脂からなるクッション材と、
前記クッション材に埋め込まれた弾性体からなる保形芯材と、
を備え、前記保形芯材の弾性復原力によって前記クッション材及び前記表皮が外方へ向かって押されていることを特徴とする車両用シートのパッド。
【請求項２】
表皮に発泡樹脂からなるクッション材が密着一体化されたパッドと、
前記パッドの裏側に被さる硬質樹脂からなるカバー部材と、
を備え、前記クッション材には弾性体からなる保形芯材が埋め込まれ、
前記保形芯材の弾性復原力によって、前記カバー部材と前記保形芯材との間のクッション材が圧縮されていることを特徴とする車両用シート。
【請求項３】
表皮の内面上にクッション材を発泡成形するとともに前記クッション材内に保形芯材をインサート成形する車両用シートのパッドの製造方法において、
前記保形芯材が弾性体からなり、
かつ前記インサート成形時には、前記保形芯材を収縮するように弾性変形させておき、
その後、前記保形芯材への収縮力を解除することを特徴とする車両用シートのパッドの製造方法。
【発明の詳細な説明】
【技術分野】
【０００１】
本発明は、車両用シート及びそのパッド、並びにパッドの製造方法に関し、特に、表皮一体発泡シートに好適なパッド構造に関する。
【背景技術】
【０００２】
例えば、特許文献１に開示されているように、表皮一体発泡シートのパッドは、表皮の内面にクッション材が発泡成形されることによって、表皮とクッション材が互いに一体化されている。この種のパッドの裏側には表皮が無い。また、通常、表皮は、クッション材の表側面及び周端面よりも面積が大きいから、表皮の周縁部が余る。そのため、成形後、表皮の余った部分を切り取るか、裏側に巻き込んでいる。よって、外観上、パッドの裏側及び周端部をカバー部材によって覆っている。カバー部材は、インジェクション成形による硬質樹脂にて構成されている。
【先行技術文献】
【特許文献】
【０００３】
【特許文献１】特開２０１４−０６５３５６号公報
【発明の概要】
【発明が解決しようとする課題】
【０００４】
この種の車両用シートにおいては、生産時にパッドとカバー部材との間に隙間が生じることが多い。また、生産時に隙間を無くすよう修正しても、その後、パッドの収縮により隙間が生じることもある。このような隙間があると見栄えが悪い。また、稀に、パッドの発泡ウレタン製のクッション材が、隙間から侵入した水分によって加水分解等を起こして劣化し、パッドの機能を果たさなくなることもある。
【０００５】
従来の対策としては、生産時に隙間が生じた場合は、その都度、カバー部材に合わせて、パッドの金型を修正することで、パッドの寸法を大きくしているが、金型の修正は煩雑で費用を要する。
本発明は、上記事情に鑑み車両用の表皮一体発泡シートにおいて、パッドとカバー部材との間に隙間が出来るのを防止することを目的とする。
【課題を解決するための手段】
【０００６】
前記問題点を解決するために、本発明に係る車両用シートのパッドは、
表皮と、
前記表皮と密着一体化された発泡樹脂からなるクッション材と、
前記クッション材に埋め込まれた弾性体からなる保形芯材と、
を備え、前記保形芯材の弾性復原力によって前記クッション材が外方へ向かって押されていることを特徴とする。
【０００７】
本発明に係る車両用シートは、
表皮に発泡樹脂からなるクッション材が密着一体化されたパッドと、
前記パッドの裏側に被さる硬質樹脂からなるカバー部材と、
を備え、前記クッション材には弾性体からなる保形芯材が埋め込まれ、
前記保形芯材の弾性復原力によって、前記カバー部材と前記保形芯材との間のクッション材が圧縮されていることを特徴とする。
【０００８】
本発明に係る製造方法は、
表皮の内面上にクッション材を発泡成形するとともに前記クッション材内に保形芯材をインサート成形する車両用シートのパッドの製造方法において、
前記保形芯材が弾性体からなり、
かつ前記インサート成形時には、前記保形芯材を収縮するように弾性変形させておき、
その後、前記保形芯材への収縮力を解除することを特徴とする。
【発明の効果】
【０００９】
本発明によれば、車両用シートのパッドとカバー部材との間に隙間が出来るのを防止することができる。
【図面の簡単な説明】
【００１０】
【図１】図１は、本発明の一実施形態に係る車両用シートの正面図である。
【図２】図２は、図１のＩＩ−ＩＩ線に沿う、上記車両用シートの断面図である。
【図３】図３（ａ）は、車両用シートのパッドの保形芯材を、自然状態で示す正面図である。図３（ｂ）は、上記保形芯材を、インサート成形時の状態を実線にて示し、前記自然状態を二点鎖線にて示す正面図である。
【図４】図４は、図２のＩＶ−ＩＶ線に沿う、上記車両用シートの一部分の正面断面図であり、上記インサート成形時の保形芯材を二点鎖線にて示す。
【発明を実施するための形態】
【００１１】
以下、本発明の一実施形態を図面にしたがって説明する。
図１及び図２に示すように、車両用シート１は、座部２と、背もたれ部３を備えている。背もたれ部３は、パッド１０と、カバー部材２０を有している。パッド１０は、表皮１１と、クッション材１２を含む。
【００１２】
表皮１１は、 例えば樹脂層及び裏基布等を積層した積層体にて構成されている。
クッション材１２は、発泡ウレタン等の発泡樹脂にて構成されている。このクッション材１２が、表皮１１の内面上で発泡成形されている。これによって、表皮１１とクッション材１２とが互いに密着一体化されている。
【００１３】
表皮１１の面積は、クッション材１２の表側面及び周端面の面積よりも大きい。
表皮１１の中央部が、クッション材１２の表側面及び周端面に被さるとともに密着一体化されている。表皮１１の周端部は、余り端部１１ｅとなる。余り端部１１ｅは、パッド１０の裏側に折り込まれ、クッション材１２の裏側面に被さっている。
【００１４】
パッド１０の裏側にカバー部材２０が配置されている。カバー部材２０は、インジェクション成形による硬質樹脂にて構成されている。このカバー部材２０によって、表皮１１の余り端部１１ｅ及びクッション材１２の裏側面が覆われている。これによって、背もたれ部３の美観が確保されている。
【００１５】
クッション材１２の上側部の内部には、保形芯材１３が埋め込まれている。保形芯材１３は、弾性を有する金属等の弾性体にて構成されている。好ましくは、保形芯材１３は、ばね鋼製のワイヤにて構成されている。保形芯材１３は、概略左右方向（パッド１０の幅方向）に向けられとともに、中央部から両端部へ向かって斜め下方へ延びるように、屈曲ないしは湾曲されている。保形芯材１３によって、パッド１０の形状が保持されている。
【００１６】
しかも、保形芯材１３には、左右外方へ展開ないしは伸長するように弾性復原力が発現している。つまり、パッド１０内における保形芯材１３は、図３（ａ）に示す自然状態よりも屈曲ないしは湾曲されて、パッド１０の幅方向（左右方向）に収縮されており、これによって、元の自然状態に弾性復帰しようとしている。図４の白抜き矢印にて示すように、この保形芯材１３の弾性復原力によって、保形芯材１３とカバー部材２０との間のクッション材１２が外方へ向かって押されて圧縮されている。
【００１７】
パッド１０は、次のようにして作製される。
先ず、平坦なシート状の表皮１１を作製する。
この表皮１１を金型（図示省略）にセットし、表皮１１を所定形状に真空成形する。
【００１８】
別途、保形芯材１３を形成する。図３（ａ）に示すように、保形芯材１３の自然状態（無負荷時）における形状は、屈曲度ないしは湾曲度が比較的小さい。図３（ｂ）の実線にて示すように、この保形芯材１３を、屈曲度ないしは湾曲度が大きくなるように弾性変形させることでパッド１０の幅方向（左右）に収縮させる。しかも、この段階では、図４の二点鎖線に示すように、保形芯材１３を、完成後のパッド１０内の保形芯材１３（図４の実線）よりも大きく屈曲ないしは湾曲させておく。
金型には、保形芯材１３の取付部が設けられている。この取付部に保形芯材１３をセットする。この取付部によって保形芯材１３が弾性変形状態（図３（ｂ）の実線）に保持される。
【００１９】
保形芯材１３のセット後、金型を閉じる。金型の成型面には、上記真空成形した表皮１１を残置しておく。
続いて、ウレタン樹脂を金型内に注入して発泡させる。これによって、表皮１１の内面上にクッション材１２が発泡成形され、表皮１１とクッション材１２とが密着一体化される。かつ、保形芯材１３がクッション材１２内に埋設（インサート成形）される。これによって、パッド１０が作製される。
【００２０】
その後、パッド１０を脱型する。このとき、上記取付部を保形芯材１３から外す。これによって、保形芯材１３への収縮力が解除され、保形芯材１３が弾性復帰可能になる。
そして、表皮１１の余り端部１１ｅをクッション材１２の裏側に折り込み、かつパッド１０の裏側にカバー部材２０を被せる。
【００２１】
このようにして作製されたパッド１０においては、図４に示すように、クッション材１２内の保形芯材１３が、その弾性によってインサート成形時（同図の二点鎖線）よりも展開ないしは伸長し、更に自然状態（図３（ａ））へ向けて展開ないしは伸長しようとする。このため、保形芯材１３とカバー部材２０との間のクッション材１２が、外方へ向かって押されて圧縮される。したがって、クッション材１２に被さる表皮１１がカバー部材２０に押し付けられる。これによって、カバー部材２０とパッド１０との間に隙間が形成されるのを防止することができる。よって、上記金型を修正してパッド１０の寸法を大きくする必要がなく、製造コストの増大を回避できる。
隙間を防止することで、車両用シート１の美観を確保することができる。また、クッション材１２に水分が侵入するのを防止でき、ひいてはクッション材１２の加水分解を起こして劣化するのを確実に防止できる。よって、クッション機能を長期間維持することができる。
【００２２】
本発明は、前記実施形態に限られず、その趣旨を逸脱しない範囲内で種々の改変をなすことができる。
例えば、保形芯材１３の形状によっては、インサート成形時の保形芯材１３を曲げ変形させるのではなく圧縮変形させてもよい。
パッド１０内の保形芯材１３が、ほぼ自然状態（図３（ａ））まで弾性復帰していてもよい。
保形芯材１３が上下方向に収縮、展開するように弾性変形してもよい。
【産業上の利用可能性】
【００２３】
本発明は、例えば作業車両のシートとして適用できる。
【符号の説明】
【００２４】
１        車両用シート
２        座部
３        背もたれ部
１０      パッド
１１      表皮
１１ｅ    余り部分
１２      クッション材
１３      保形芯材
２０      カバー部材
【図１】
0006420167.tif 000002
【図２】
0006420167.tif 000003
【図３】
0006420167.tif 000004
【図４】
0006420167.tif 000005